(57)【要約】【課題】従来の調理用すくい網には、浮遊物をきれいに且つ早く掬うことができるものとか、軽量頑丈であるものがあり、食品をすくった時の食品の見栄えの考慮がされていないという問題があった。問題を解決するすくい網を提供する。【解決手段】金属や合成樹脂で出来たすくい具用の枠部１１と、金属線や合成樹脂繊維を用いた伸縮性・クッション性に富むメリヤス編みの網で作成してあるので、壊れやすかったり表面が削れたり剥がれやすい食品を守り、従来のすくい網よりも食品をすくった時の食品の見栄えがよくなる。【選択図】図１
2018023660.tif 000002
【特許請求の範囲】
【請求項１】
金属線や合成樹脂繊維をメリヤス編みで編んだ網の端部を、金属や合成樹脂で出来たすくい具用の枠部に止着してあることを特徴とするメリヤス編みすくいアミ。
【請求項２】
金属線や合成樹脂繊維をメリヤス編みで編んだ網の袋を、金属や合成樹脂で出来た凹状保形枠部を持つすくい具用の枠部に被着して、網中のハトメまたは網目と留め手段とで凹状保形枠部に網を保持し、脱着可能な留め手段を使用の場合は、網袋もすくい具用の枠部から脱着可能であることを特徴とするメリヤス編みすくいアミ。
【発明の詳細な説明】
【技術分野】
【０００１】
本発明は、食卓や台所で用いる食品調整器具において、例えば壊れやすい豆腐で特に絹ごし豆腐や、表面が削れたり剥がれやすい衣を使用する揚げ物など、壊れやすかったり表面が削れたり剥がれやすい食品を器や鍋などからすくう器具であるメリヤス編みすくいアミに関する。
【背景技術】
【０００２】
従来の調理用のすくい網には、杓子のネット皿が、上端縁が外方に膨出形状をなした三角形状であるので、杓子と鍋の縁との接する面が大きいので浮遊物をきれいに且つ早く掬うことができることを特徴とする網杓子がある（例えば、特許文献１参照。）。
【０００３】
また、構造上部品の欠落の可能性が低く、食材屑や食品の堆積が生じ難い構造であり、洗浄しやすく、軽量頑丈なことを特徴とする調理用すくいアミがある（例えば、特許文献２参照。）。
【０００４】
以下、従来の特許文献について説明する。特許文献１の網杓子では、浮遊物をきれいに且つ早く掬うことができることが目的で、食品をすくった時の食品の見栄えに対する考慮がされていないので、すくう時に注意を要する食品は慎重に取り扱う必要がある。
【０００５】
特許文献２の調理用すくいアミでは、軽量頑丈ではあるものの、食品をすくった時の食品の見栄えに対する考慮がされていないので、すくう時に注意を要する食品は慎重に取り扱う必要がある。
【先行技術文献】
【特許文献】
【０００６】
【特許文献１】実登３０４７１３５号公報（第４頁、００１２）
【特許文献２】実登３１６４８８７号公報（第１頁、課題）
【発明の概要】
【発明が解決しようとする課題】
【０００７】
解決しようとする問題点は、特許文献１では、浮遊物をきれいに且つ早く掬うことができることが目的で、食品をすくった時の食品の見栄えに対する考慮がされていないので、すくう時に注意を要する食品は慎重に取り扱う必要がある点である。
【０００８】
特許文献２では、軽量頑丈ではあるものの、食品をすくった時の食品の見栄えに対する考慮がされていないので、すくう時に注意を要する食品は慎重に取り扱う必要がある点である。
【課題を解決するための手段】
【０００９】
本発明は、金属や合成樹脂で出来たすくい具用の枠部と、金属線や合成樹脂繊維を用いた伸縮性・クッション性に富むメリヤス編みの網とで作成してあることを最も主要な特徴とする。
【発明の効果】
【００１０】
本発明のメリヤス編みすくいアミは、金属や合成樹脂で出来たすくい具用の枠部と、金属線や合成樹脂繊維を用いたメリヤス編みの網とで作成してある。メリヤス編みは伸縮性・クッション性に富むので、壊れやすかったり表面が削れたり剥がれやすい食品を器や鍋などからすくう時に、食品にダメージを与え難いので、食品をすくった時の食品の見栄えがよいという利点がある。
【図面の簡単な説明】
【００１１】
【図１】図１はメリヤス編みの網の端部が、すくい具用の枠部により保持状態である例の斜視図である。
【図２】図２は凹状保形枠部を持つ枠部と、枠部から分離した時のメリヤス編みの網袋の例の斜視図である。
【図３】図３Ａは凹状保形枠部を持つ枠部と、枠部から分離した時のハトメが有るメリヤス編みの網袋の図を簡略化した例の斜視図であり、アは枠部のメリヤス編みの網袋への挿入方向である。ＢはＡの枠部をハトメが有るメリヤス編みの網袋に挿入し、メリヤス編み網をビス止め後に網を切断し、ウ方向から見た例の断面図である。
【図４】図４Ｃは凹状保形枠部を持つ枠部と、枠部から分離した時のハトメが無いメリヤス編みの網袋の図を簡略化した例の斜視図であり、ＤはＣの枠部をハトメが無いメリヤス編みの網袋に挿入し、メリヤス編み網の保形枠部穴近接網目を用い、ビス止め後に網を切断し、ウ方向から見た例の断面図である。
【図５】図５は旧来のメリヤス編みすくい網の一例の斜視図である。
【発明を実施するための形態】
【００１２】
食卓や台所で用いる調理用のすくい網において、杓子のネット皿が、上端縁が外方に膨出形状をなした三角形状であるものとか、構造上部品の欠落の可能性が低く、食材屑や食品の堆積が生じ難い構造であり、洗浄しやすく、軽量頑丈なものなどにおいて、食品をすくった時の食品の見栄えに対する考慮がされていないという事を防ぐ目的を、金属や合成樹脂で出来たすくい具用の枠部と、網として金属線や合成樹脂繊維を用いたクッション性の高いメリヤス編みの網とで作成しているので、食品の破損が少なく、食品をすくった時の食品の見栄えがよくなる事で実現した。
【００１３】
以下に本発明の実施形態を、図面を参照しながら具体的に説明するがこの実施形態に限定されるものではない。図１は、メリヤス編みの網の端部２０が、すくい具用の枠部１１により保持状態である例の斜視図であって、クッション性の高いメリヤス編み網２が枠部１１により保持状態である。
【００１４】
図２は、凹状保形枠部５１を持つ枠部１１と、枠部１１から分離した時のメリヤス編みの網袋の例の斜視図であって、凹状保形枠部５１を持つ事により、すくい具の網がメリヤス編みの網袋でも凹状化が可能である。
【００１５】
なお、枠部１１と凹状保形枠部５１は一体化していることが望ましい。そして凹状保形枠部５１の形状は、図示してあるような−状でも、他の＋状でもＸ状でもＹ状でもよい。
【００１６】
図３Ａは、凹状保形枠部５１を持つ枠部１１と、枠部１１から分離した時のハトメ２８が有るメリヤス編みの網袋の図を簡略化した例の斜視図であり、アは枠部１１のメリヤス編みの網袋への挿入方向である。ＢはＡの枠部１１をハトメ２８が有るメリヤス編みの網袋に挿入し、メリヤス編み網２をビス止め後に網を切断し、ウ方向から見た例の断面図であって、網の凹状保形枠部５１へのビス止めで、メリヤス編みの網袋の強制的な凹状化が可能であり食品がこぼれ難い。
【００１７】
網の凹状保形枠部５１へのビス止めは、網が凹状保形枠部５１で保時出来ればビスに限らない。
【００１８】
図４Ｃは、凹状保形枠部５１を持つ枠部１１と、枠部１１から分離した時のハトメ２８が無いメリヤス編みの網袋の図を簡略化した例の斜視図であり、ＤはＣの枠部１１をハトメ２８が無いメリヤス編みの網袋に挿入し、メリヤス編み網２の保形枠部穴近接網目５３を用い、ビス止め後に網を切断し、ウ方向から見た例の断面図であって、網の凹状保形枠部５１へのビス止めで、メリヤス編みの網袋の強制的な凹状化が可能であり食品がこぼれ難い。
【００１９】
図５は、旧来のメリヤス編みすくい網の一例の斜視図であって、この図は特許第５９６３２２６号メリヤス編みすくい網の図５であり、凹状形成部材１７が網袋外に位置する旧来例と、同様の機能を持つ凹状保形枠部５１が網袋内に位置する当例とでは位置が異なり、使用するに当たっては当例の方が簡単な構造である。
【００２０】
このようにして作成されたメリヤス編みすくいアミは、金属や合成樹脂で出来たすくい具用の枠部１１と、金属線や合成樹脂繊維を用いた伸縮性・クッション性に富むメリヤス編みの網とで作成してあるので、従来の食品をすくった時の食品の見栄えに対する考慮がされていない調理用のすくい網のように、すくう時に注意を要する食品は慎重に取り扱う必要があるという問題点を解消できる。
【符号の説明】
【００２１】
１    本体
１１  枠部
１２  柄部
１３  握り部
１４  接合部
１７  凹状形成部材
１８  留め手段片ネジ式ビス上
１９  留め手段片ネジ式ビス下
２    メリヤス編み網
２０  網端部
２１  網口部
２２  網口縁部
２３  網先側端部
２８  ハトメ
２９  凹状形成部材穴
３１  留め具可動部側網縁留め
３２  留め具足保持部
３３  留め具可動部
３４  留め具足
３５  留め具ロック部
４１  留め具固定部側網縁留め
４２  接合部用凹部
４３  留め具固定部
５１  凹状保形枠部
５２  凹状保形枠部穴
５３  保形枠部穴近接網目
【図１】
2018023660.tif 000003
【図２】
2018023660.tif 000004
【図３】
2018023660.tif 000005
【図４】
2018023660.tif 000006
【図５】
2018023660.tif 000007